(57)【要約】計測装置は、関係式（１）および（２）を満たすことを特徴とする。関係式（１）は、２ＹＨ／（Ｘ＋Ｙ）≦Ｄ＜Ｈである。関係式（２）は、Ｙ≦Ａ＜Ｘである。ただし、この関係式において、Ｄは、光通過孔の入射口と受光素子の受光面の間の距離である。Ｈは、受光素子の受光面と計測点の間の距離である。Ｘは、計測点に向かって進行する第１のレーザー光と第２のレーザー光が重なり合ってできたレーザー光の強度が所定の強度以上である範囲の幅である。Ｙは、受光素子の受光面の幅である。Ａは、光通過孔の入射口の幅である。
2018173290.tif 000002
【特許請求の範囲】
【請求項１】
流路を流れる流体中の粒子の速度を計測するための計測装置であって、
前記流路内の計測点に向かって進行する第１のレーザー光と、前記第１のレーザー光と異なる方向から前記流路内の前記計測点に向かって進行する第２のレーザー光を照射するレーザー光照射装置と、
前記レーザー光照射装置から照射された前記第１のレーザー光と前記第２のレーザー光が前記計測点を通過する粒子に当たったときにそれぞれ生じる散乱光を受光する受光装置を備えており、
前記受光装置が、受光素子と、前記受光素子の受光面と前記計測点の間に形成されている中空の光通過孔を備えており、
前記光通過孔が、前記計測点から前記受光素子に向かう方向に延びており、前記計測点を通過する粒子によって生じた散乱光が前記光通過孔を通過して前記受光素子の前記受光面に入射するように構成されており、
下記の関係式（１）および（２）を満たすことを特徴とする、計測装置。
２ＹＨ／（Ｘ＋Ｙ）≦Ｄ＜Ｈ  ・・・（１）
Ｙ≦Ａ＜Ｘ  ・・・（２）
ただし、上記の関係式において、
Ｄは、前記光通過孔の入射口と前記受光素子の前記受光面の間の距離、
Ｈは、前記受光素子の前記受光面と前記計測点の間の距離、
Ｘは、前記計測点に向かって進行する前記第１のレーザー光と前記第２のレーザー光が重なり合ってできたレーザー光の強度が所定の強度以上である範囲の幅、
Ｙは、前記受光素子の前記受光面の幅、
Ａは、前記光通過孔の前記入射口の幅である。
【請求項２】
下記の関係式（３）を満たすことを特徴とする、請求項１に記載の計測装置。
Ｄ＝Ｈ（Ａ＋Ｙ）／（Ｘ＋Ｙ）  ・・・（３）
【請求項３】
下記の関係式（４）を満たすことを特徴とする、請求項１または２に記載の計測装置。
Ａ＝Ｙ  ・・・（４）
【請求項４】
前記光通過孔の内周面の表面粗さが、前記第１のレーザー光の波長以上、かつ、前記第２のレーザー光の波長以上であることを特徴とする、請求項１から３のいずれか一項に記載の計測装置。
【請求項５】
前記光通過孔の内周面が、前記受光素子の前記受光面に対して傾斜していることを特徴とする、請求項１から４のいずれか一項に記載の計測装置。
【請求項６】
前記光通過孔の内周面の色が黒色であることを特徴とする、請求項１から５のいずれか一項に記載の計測装置。
【請求項７】
前記光通過孔の内周面が低反射材で構成されていることを特徴とする、請求項１から６のいずれか一項に記載の計測装置。
【発明の詳細な説明】
【技術分野】
【０００１】
本明細書に開示する技術は、計測装置に関する。
【背景技術】
【０００２】
従来から、計測対象物の速度を計測するレーザードップラー式の計測装置が知られている。レーザードップラー式の計測装置は、レーザー光照射装置と受光装置と処理装置を備えている。レーザー光照射装置は、移動する計測対象物に向かってレーザー光を照射する。レーザー光照射装置から照射されたレーザー光は、移動する計測対象物に当たったときに散乱して散乱光が生じる。そのときに生じた散乱光を受光装置が受光する。受光装置が散乱光を受光すると、処理装置がその散乱光の周波数に基づいて計測対象物の速度を演算する。処理装置は、公知のドップラーシフトに基づく演算方法によって計測対象物の速度を演算する。【０００３】
特許文献１（日本国特開平５−６６２２６号公報）には、移動する計測対象物に向かって異なる２方向からレーザー光を照射するレーザー光照射装置を備えている計測装置が開示されている。特許文献１の計測装置は、レーザー光照射装置と受光装置と処理装置を備えている。レーザー光照射装置は、移動する計測対象物に向かって第１のレーザー光と第２のレーザー光を照射する。第１のレーザー光と第２のレーザー光は、計測対象物に向かって互いに異なる方向から照射される。レーザー光照射装置から照射された第１のレーザー光と第２のレーザー光は、移動する計測対象物に当たったときに散乱し、それぞれの散乱光が生じる。そのときに生じたそれぞれの散乱光を受光装置が受光する。また、特許文献１の計測装置では、受光装置が集光レンズを備えており、この集光レンズによって様々な散乱光を集光して受光する。受光装置が第１のレーザー光と第２のレーザー光の散乱光を受光すると、処理装置がそれぞれの散乱光の周波数に基づいて計測対象物の速度を演算する。処理装置は、公知のドップラーシフトに基づく演算方法によって計測対象物の速度を演算する。
【発明の概要】
【発明が解決しようとする課題】
【０００４】
計測対象物の速度を計測する計測装置では、流路を流れる流体中の粒子の速度を計測することがある。つまり、計測対象物が流体中の粒子であることがある。流体中の粒子としては、例えば、血液中の赤血球等が考えられる。計測装置が流路を流れる血液中の赤血球の速度を計測することになる。これによって、血液の流速を知ることができる。【０００５】
一般的に流路を流れる流体中には無数の粒子が存在している。例えば、血液中には無数の赤血球が存在している。無数の粒子は流体中に拡散して存在している。そのため、無数の粒子の中には、例えば、流路の中心部を通過する粒子もあれば、流路の周縁部を通過する粒子もある。また、流体中の無数の粒子の速度は様々である。速度が速い粒子もあれば、速度が遅い粒子もある。【０００６】
特許文献１の計測装置を用いて流路を流れる流体中の粒子の速度を計測する場合は、レーザー光照射装置から流路内の任意の計測点に向かって第１のレーザー光と第２のレーザー光を照射する。第１のレーザー光と第２のレーザー光は、流路内の計測点に向かって互いに異なる方向から照射される。レーザー光照射装置から照射された第１のレーザー光と第２のレーザー光は、計測点を通過する粒子に当たったときに散乱し、それぞれの散乱光が生じる。そのときに生じたそれぞれの散乱光を受光装置が受光する。受光装置は、集光レンズによって様々な散乱光を集光して受光する。そして、受光装置が受光したそれぞれの散乱光の周波数に基づいて、処理装置が計測点を通過する粒子の速度を演算する。【０００７】
計測点を通過する粒子の速度を正確に計測するためには、計測点を通過する粒子によって生じた散乱光を受光装置が十分に受光することが好ましい。また、粒子の速度を正確に計測するためには、レーザー光照射装置から計測点に向かって第１のレーザー光と第２のレーザー光を照射する際に、各レーザー光を計測点のみに照射すればよい。そうすれば、計測点を通過する粒子のみに第１のレーザー光と第２のレーザー光が当たり、各レーザー光がその粒子に当たったときに生じる散乱光のみを取り出すことができる。したがって理想的には、第１のレーザー光と第２のレーザー光を照射する際に、第１のレーザー光と第２のレーザー光が計測点のみで重なり合うように照射することが好ましい。しかしながら現実的には、第１のレーザー光と第２のレーザー光を計測点のみに照射することは困難であり、光の拡散等によって計測点の周辺にも第１のレーザー光と第２のレーザー光が照射されてしまう。つまり、第１のレーザー光と第２のレーザー光が、光の拡散等によって計測点及びその周辺で重なり合うように照射されてしまう。そうすると、レーザー光照射装置から照射された第１のレーザー光と第２のレーザー光が粒子に当たって散乱するときに、計測点を通過する粒子に当たって散乱するだけでなく、計測点の周辺を通過する粒子にも第１のレーザー光と第２のレーザー光が当たって散乱してしまう。そのため、計測点を通過する粒子によって生じた散乱光だけでなく、計測点の周辺を通過する粒子によって生じた散乱光も取り出してしまうことになる。そうすると、流体中の無数の粒子の速度が様々であるので、様々な速度の粒子によって生じた様々な散乱光を受光装置が受光することになる。その結果、処理装置が様々な散乱光の周波数に基づいて粒子の速度を演算することになってしまい、流路を流れる流体中の粒子の速度を正確に計測することが困難になる。また、特許文献１の計測装置では、受光装置が集光レンズによって様々な散乱光を集光して受光しているので、処理装置が様々な散乱光の周波数に基づいて粒子の速度を演算することになる。その結果、流路を流れる流体中の粒子の速度を正確に計測することが困難になる。このように、特許文献１の計測装置では、計測点を通過する粒子によって生じた散乱光だけでなく、余分な散乱光も受光してしまうので、粒子の速度を正確に計測することが困難になる。特許文献１の計測装置は、計測対象物の速度が均一である場合は問題無いが、管内を流れる液体の中の粒子のように速度が様々である場合は問題が生じてしまう。そこで本明細書は、余分な散乱光を受光することを抑制しつつ、必要な散乱光を十分に受光することができる技術を提供する。
【課題を解決するための手段】
【０００８】
本明細書に開示する計測装置は、流路を流れる流体中の粒子の速度を計測するための計測装置である。この計測装置は、レーザー光照射装置と受光装置を備えている。前記レーザー光照射装置は、前記流路内の計測点に向かって進行する第１のレーザー光と、前記第１のレーザー光と異なる方向から前記流路内の前記計測点に向かって進行する第２のレーザー光を照射する。前記受光装置は、前記レーザー光照射装置から照射された前記第１のレーザー光と前記第２のレーザー光が前記計測点を通過する粒子に当たったときにそれぞれ生じる散乱光を受光する。前記受光装置は、受光素子と、前記受光素子の受光面と前記計測点の間に形成されている中空の光通過孔を備えている。前記光通過孔は、前記計測点から前記受光素子に向かう方向に延びており、前記計測点を通過する粒子によって生じた散乱光が前記光通過孔を通過して前記受光素子の前記受光面に入射するように構成されている。この計測装置は、下記の関係式（１）および（２）を満たすことを特徴とする。
２ＹＨ／（Ｘ＋Ｙ）≦Ｄ＜Ｈ  ・・・（１）
Ｙ≦Ａ＜Ｘ  ・・・（２）【０００９】
ただし、上記の関係式において、Ｄは、前記光通過孔の入射口と前記受光素子の前記受光面の間の距離である。Ｈは、前記受光素子の前記受光面と前記計測点の間の距離である。Ｘは、前記計測点に向かって進行する前記第１のレーザー光と前記第２のレーザー光が重なり合ってできたレーザー光の強度が所定の強度以上である範囲の幅である。Ｙは、前記受光素子の前記受光面の幅である。Ａは、前記光通過孔の前記入射口の幅である。【００１０】
このような構成によれば、計測点を通過する粒子によって生じた散乱光が光通過孔を通過して受光素子に入射する。しかしながら、レーザー光照射装置から第１のレーザー光と第２のレーザー光が照射されたときに、計測点だけでなく、計測点の周辺にも第１のレーザー光と第２のレーザー光が照射されてしまうことがある。そうすると、計測点を通過する粒子だけでなく、計測点の周辺を通過する粒子によっても散乱光が生じてしまう。このとき、上記の構成によれば、光通過孔を備えているので、計測点の周辺を通過する粒子によって生じた散乱光が受光素子に入射することを抑制できる。すなわち、上記の構成によれば、計測点と受光素子の間で光通過孔が計測点から受光素子に向かう方向に延びているので、計測点を通過する粒子によって生じた散乱光は光通過孔を通過して受光素子に入射するが、計測点の周辺を通過する粒子によって生じた散乱光は、光通過孔の存在によって受光素子に入射しにくくなる。これによって、余分な散乱光を受光することを抑制できる。【００１１】
また、光通過孔を備えている構成では、光通過孔の入射口の位置が計測点から遠い位置にあると、光通過孔への入射範囲が広がるので、計測点の周辺で生じる散乱光が光通過孔に入射し易くなる。しかしながら、上記の構成によれば、関係式（１）を満たすことによって、光通過孔の入射口の位置を計測点に近付けることができる。これによって、光通過孔への入射範囲が広がることを抑制できるので、計測点の周辺で生じる散乱光が光通過孔に入射しにくくなる。また、上記の構成によれば、関係式（２）を満たすことによって、光通過孔の入射口の幅Ａが狭くなり過ぎることを抑制できる。これによって、計測点から受光素子に向かう散乱光を十分に受光することができる。そのため、余分な散乱光を受光することを抑制しつつ、必要な散乱光を十分に受光することができる。その結果、流路を流れる流体中の粒子の速度を正確に計測することができる。【００１２】
上記の計測装置において、下記の関係式（３）を満たしていてもよい。
Ｄ＝Ｈ（Ａ＋Ｙ）／（Ｘ＋Ｙ）  ・・・（３）【００１３】
このような構成によれば、関係式（３）を満たすことによって、計測点の周辺で生じた散乱光を受光することを抑制しつつ、計測点を通過する粒子によって生じた散乱光を受光素子の受光面全体を利用して受光することができる。【００１４】
また、上記の計測装置において、下記の関係式（４）を満たしていてもよい。
Ａ＝Ｙ  ・・・（４）【００１５】
このような構成によれば、光通過孔の入射口の幅と受光素子の受光面の幅を揃えることによって、計測点から光通過孔を通過して受光素子に向かう散乱光を効率良く受光することができる。【００１６】
また、上記の計測装置において、前記光通過孔の内周面の表面粗さが、前記第１のレーザー光の波長以上、かつ、前記第２のレーザー光の波長以上であってもよい。【００１７】
上述したように、第１のレーザー光と第２のレーザー光が計測点の周辺にも照射されてしまい、計測点の周辺で散乱光が生じることがある。そうすると、計測点の周辺で様々な方向に進行する様々な散乱光が生じる。また、計測点の周辺で生じた散乱光が光通過孔に入射して光通過孔の内周面に当たって反射することがある。このとき、上記の構成によれば、光通過孔の内周面で反射する様々な散乱光を乱反射させることができる。これによって、光通過孔の内周面で反射した散乱光が様々な方向に進行するので、受光素子に向かって進行する散乱光を減らすことができる。そのため、計測点の周辺で生じた散乱光が受光素子に入射することを抑制できる。なお、第１のレーザー光の波長と第２のレーザー光の波長と散乱光の波長は近似する値である。【００１８】
また、前記光通過孔の内周面が、前記受光素子の前記受光面に対して傾斜していてもよい。【００１９】
このような構成によれば、計測点の周辺で生じた散乱光が光通過孔の内周面で反射したとしても、その内周面が受光素子の受光面に対して傾斜しているので、反射した散乱光が受光素子の受光面に向かって進行することを抑制できる。そのため、計測点の周辺で生じた散乱光が受光素子の受光面に入射することを抑制できる。なお、光通過孔の内周面が受光素子の受光面に対して傾斜しているとは、光通過孔の内周面が受光素子の受光面に対して直角である構成を含まない概念である。【００２０】
また、前記光通過孔の内周面の色が黒色であってもよい。【００２１】
このような構成によれば、計測点の周辺で生じた散乱光が光通過孔の内周面で反射することを抑制できる。そのため、計測点の周辺で生じた散乱光が受光素子に入射することを抑制できる。【００２２】
また、前記光通過孔の内周面が低反射材で構成されていてもよい。【００２３】
このような構成によれば、計測点の周辺で生じた散乱光が光通過孔の内周面で反射することを抑制できる。そのため、計測点の周辺で生じた散乱光が受光素子に入射することを抑制できる。
【図面の簡単な説明】
【００２４】
【図１】実施例に係る計測装置の概略構成を示す図である。
【図２】実施例に係る受光装置の概略構成を示す図である。
【図３】実施例に係る受光素子の概略構成を示す側面図である。
【図４】実施例に係る受光素子の概略構成を示す平面図である。
【図５】実施例に係る計測装置のブロック図である。
【図６】光通過孔と計測点と受光素子の位置関係を示す図である。
【図７】第１のレーザー光と第２のレーザー光が重なり合ってできたレーザー光の強度の分布を示す図である。
【図８】図６における位置関係を模式的に示す図である。
【図９】光通過孔の一例を示す平面図である。
【図１０】光通過孔の他の一例を示す平面図である。
【図１１】光通過孔の更に他の一例を示す平面図である。
【図１２】光通過孔の更に他の一例を示す断面図である。
【図１３】他の実施例に係る計測装置の概略構成を示す図である。
【発明を実施するための形態】
【００２５】
以下に実施例について添付図面を参照して説明する。図１に示すように、実施例に係る計測装置１は、固定具６２によって透明な管６１に固定されて使用される。管６１内に流路６０が形成されている。計測装置１は、流路６０を流れる流体Ｆ中の粒子Ｒの速度ｖを計測する装置である。これによって、流体Ｆの流速を知ることができる。
【００２６】
流路６０を流れる流体Ｆ中には無数の粒子Ｒが存在している。無数の粒子Ｒは流体Ｆ中に拡散して存在している。したがって、無数の粒子Ｒの中には、例えば、流路６０の中心部を通過する粒子Ｒもあれば、流路６０の周縁部を通過する粒子Ｒもある。また、無数の粒子Ｒの速度は様々である。速度が速い粒子Ｒもあれば、速度が遅い粒子Ｒもある。流路６０を流れる流体Ｆ中の粒子Ｒの速度ｖを計測する際に、流路６０内の特定の計測点１０に絞って粒子Ｒの速度ｖを計測することがある。流路６０内の計測点１０の位置は特に限定されるものではないが、例えば、流路６０の中心部を計測点１０として、流路６０の中心部を通過する粒子Ｒの速度ｖを計測することができる。一般的に、層流の場合、流路６０の中心部を流れる流体Ｆの流速は、流路６０の全体を流れる流体Ｆの平均流速の２倍に相当することが知られている。
【００２７】
流路６０を流れる流体Ｆとしては、例えば血液が挙げられる。流体Ｆ中の粒子Ｒとしては、例えば赤血球が挙げられる。計測装置１によって血液中の赤血球の速度を計測することができる。これによって、血液の流速を知ることができる。医療現場では、患者の体内を流れる血液を体外に送り出し、体外に送り出した血液を再び体内に送り戻す体外循環が行われることがある。この体外循環では、体外循環用の管が患者の血管に接続され、患者の血管を流れる血液が体外循環用の管に流入し、体外循環用の管を流れた血液が再び患者の血管に戻される。図１に示す計測装置１によって体外循環用の管６１を流れる血液（流体Ｆ）中の赤血球（粒子Ｒ）の速度ｖを計測することができる。
【００２８】
図１に示すように、計測装置１は、レーザー光照射装置２と、受光装置３と、処理装置９を備えている。レーザー光照射装置２は、発光素子２１と、コリメーターレンズ２２と、回折格子２３と、第１のミラー２４１と、第２のミラー２４２を備えている。発光素子２１は、例えばレーザーダイオード（ＬＤ）である。発光素子２１は、コリメーターレンズ２２と対向するように配置されている。発光素子２１は、コリメーターレンズ２２に向けてレーザー光Ｌを発光する。発光素子２１が発光したレーザー光Ｌがコリメーターレンズ２２に入射する。発光素子２１は、第１のミラー２４１及び第２のミラー２４２が配置されている方向とは反対側にレーザー光Ｌを発光する。発光素子２１は、回折格子２３と第１のミラー２４１及び第２のミラー２４２との間に配置されている。
【００２９】
コリメーターレンズ２２は、発光素子２１と回折格子２３の間に配置されている。コリメーターレンズ２２は、発光素子２１が発光したレーザー光Ｌを平行光にして出射する。コリメーターレンズ２２から出射したレーザー光Ｌ（平行光）は、回折格子２３に入射する。
【００３０】
回折格子２３は、コリメーターレンズ２２と対向するように配置されている。回折格子２３は、可動式になっており、移動装置２５によって回折格子２３を移動させることができる。移動装置２５は、回折格子２３と第１のミラー２４１及び第２のミラー２４２との間の距離を変えることができる。移動装置２５は、例えば機械式の装置であり、ボルトを回すことによって回折格子２３を上下動させることができる。回折格子２３の位置を変えることによって、流路６０内の計測点１０の位置を変えることができる。回折格子２３は、光の回折を利用して回折格子２３に入射したレーザー光Ｌを第１のレーザー光Ｌ１と第２のレーザー光Ｌ２に分ける。回折格子２３は、反射型の回折格子である。回折格子２３に入射したレーザー光Ｌが回折格子２３で反射するときに第１のレーザー光Ｌ１と第２のレーザー光Ｌ２に分かれる。発光素子２１が発光したレーザー光Ｌが回折格子２３で反射することによって第１のレーザー光Ｌ１と第２のレーザー光Ｌ２に分かれる。
【００３１】
回折格子２３によって生じた第１のレーザー光Ｌ１と第２のレーザー光Ｌ２は、異なる方向に進行する。第１のレーザー光Ｌ１と第２のレーザー光Ｌ２は、発光素子２１とコリメーターレンズ２２を結ぶ線に関して線対称になるように進行する。図１に示す例では、第１のレーザー光Ｌ１が右斜め上方に向かって進行し、第２のレーザー光Ｌ２が左斜め上方に向かって進行する。第１のレーザー光Ｌ１が第１のミラー２４１に向かって進行し、第２のレーザー光Ｌ２が第２のミラー２４２に向かって進行する。第１のレーザー光Ｌ１の波長と第２のレーザー光Ｌ２の波長は同じ波長である。また、第１のレーザー光Ｌ１の周波数と第２のレーザー光Ｌ２の周波数は同じ周波数である。
【００３２】
第１のミラー２４１と第２のミラー２４２は、回折格子２３と管６１の間に配置されている。第１のミラー２４１と第２のミラー２４２は、互いに向かい合っている。回折格子２３によって生じた第１のレーザー光Ｌ１が第１のミラー２４１に入射し、第２のレーザー光Ｌ２が第２のミラー２４２に入射する。第１のミラー２４１は第１の反射面４３を備えている。第２のミラー２４２は第２の反射面４４を備えている。第１の反射面４３と第２の反射面４４は、互いに向かい合っている。第１の反射面４３では、第１のミラー２４１に入射した第１のレーザー光Ｌ１が反射する。第２の反射面４４では、第２のミラー２４２に入射した第２のレーザー光Ｌ２が反射する。
【００３３】
第１のミラー２４１の第１の反射面４３で反射した第１のレーザー光Ｌ１は、管６１内の流路６０に入射する。また、第２のミラー２４２の第２の反射面４４で反射した第２のレーザー光Ｌ２も、管６１内の流路６０に入射する。第１のレーザー光Ｌ１と第２のレーザー光Ｌ２は、流路６０内の計測点１０に向かって進行する。
【００３４】
第１のレーザー光Ｌ１と第２のレーザー光Ｌ２は、互いに異なる方向から計測点１０に向かって進行する。すなわち、レーザー光照射装置２から流路６０内の計測点１０に向かって第１のレーザー光Ｌ１と第２のレーザー光Ｌ２が互いに異なる方向から照射される。第１のレーザー光Ｌ１は、流路６０の下流側から計測点１０に向かって進行する。第２のレーザー光Ｌ２は、流路６０の上流側から計測点１０に向かって進行する。第１のレーザー光Ｌ１と第２のレーザー光Ｌ２は、流路６０内の計測点１０で干渉して重なり合う。
【００３５】
流路６０には流体Ｆ（例えば血液）が流れており、流体Ｆ中には無数の粒子Ｒ（例えば赤血球）が存在している。無数の粒子Ｒのうち、流路６０内の計測点１０を通過する粒子Ｒが存在する。計測点１０を通過する粒子Ｒに第１のレーザー光Ｌ１と第２のレーザー光Ｌ２が当たると、第１のレーザー光Ｌ１と第２のレーザー光Ｌ２が散乱する。第１のレーザー光Ｌ１と第２のレーザー光Ｌ２は、異なる方向から粒子Ｒに当たる。第１のレーザー光Ｌ１は、流路６０の下流側から粒子Ｒに当たる。すなわち、第１のレーザー光Ｌ１は、粒子Ｒの進行方向側から粒子Ｒに当たる。一方、第２のレーザー光Ｌ２は、流路６０の上流側から粒子Ｒに当たる。すなわち、第２のレーザー光Ｌ２は、粒子Ｒの進行方向と反対側から粒子Ｒに当たる。第１のレーザー光Ｌ１と第２のレーザー光Ｌ２が粒子Ｒに当たって散乱したときに散乱光が生じる。第１のレーザー光Ｌ１が粒子Ｒに当たって散乱することによって第１の散乱光Ｐ１が生じる。また、第２のレーザー光Ｌ２が粒子Ｒに当たって散乱することによって第２の散乱光Ｐ２が生じる。散乱によって生じた第１の散乱光Ｐ１と第２の散乱光Ｐ２は計測点１０の周囲の様々な方向に向かって進行する。そのうち、計測点１０から受光装置３に向かって進行する第１の散乱光Ｐ１と第２の散乱光Ｐ２が存在する。受光装置３が第１の散乱光Ｐ１と第２の散乱光Ｐ２を受光する。
【００３６】
第１のレーザー光Ｌ１と第２のレーザー光Ｌ２が粒子Ｒに当たって散乱するときにそれぞれの周波数が変化する。ドップラーシフトによって周波数が変化する。第１のレーザー光Ｌ１の散乱によって生じた第１の散乱光Ｐ１の周波数ｆ１は、第１のレーザー光Ｌ１の周波数と異なる周波数である。また、第２のレーザー光Ｌ２の散乱によって生じた第２の散乱光Ｐ２の周波数ｆ２は、第２のレーザー光Ｌ２の周波数と異なる周波数である。また、第１の散乱光Ｐ１の周波数ｆ１と第２の散乱光Ｐ２の周波数ｆ２は、互いに異なる周波数である。
【００３７】
受光装置３は、管６１とレーザー光照射装置２の間に配置されている。受光装置３は、流路６０と対向するように配置されている。受光装置３は、図示しない固定具によってレーザー光照射装置２の第１のミラー２４１と第２のミラー２４２に固定されている。図２に示すように、受光装置３は、受光素子３１と、遮光性の箱体３８を備えている。箱体３８内に受光素子３１が配置されている。
【００３８】
箱体３８は、前壁３８ａと、後壁３８ｂと、一対の側壁３８ｃ、３８ｃを備えている。前壁３８ａは、管６１（図２には図示せず）と受光素子３１の間に配置されている。後壁３８ｂは、受光素子３１とレーザー光照射装置２（図２には図示せず）の間に配置されている。一対の側壁３８ｃ、３８ｃは、前壁３８ａと後壁３８ｂの間に配置されている。箱体３８の後壁３８ｂに受光素子３１が固定されている。箱体３８の前壁３８ａは受光素子３１から離れた位置に配置されている。前壁３８ａには中空の光通過孔３５が形成されている。
【００３９】
光通過孔３５は、計測点１０と受光素子３１の間に形成されている。光通過孔３５は、計測点１０から受光素子３１に向かう方向に延びている。光通過孔３５と計測点１０と受光素子３１が同軸の位置にあることが好ましい。光通過孔３５は、入射口３６と出射口３７を備えている。計測点１０を通過する粒子Ｒによって生じた第１の散乱光Ｐ１と第２の散乱光Ｐ２が光通過孔３５の入射口３６から光通過孔３５に入射する。計測点１０から受光素子３１に向かって進行する第１の散乱光Ｐ１と第２の散乱光Ｐ２が光通過孔３５に入射する。光通過孔３５に入射した第１の散乱光Ｐ１と第２の散乱光Ｐ２は、光通過孔３５を通過して、光通過孔３５の出射口３７から出射する。光通過孔３５の出射口３７から出射した第１の散乱光Ｐ１と第２の散乱光Ｐ２が受光素子３１に入射する。
【００４０】
受光素子３１は、光通過孔３５を通過した第１の散乱光Ｐ１と第２の散乱光Ｐ２を受光する。受光素子３１は、例えばフォトダイオード（ＰＤ）である。受光素子３１は、光通過孔３５の出射口３７と対向している。出射口３７から出射した散乱光Ｐ１、Ｐ２が受光素子３１に入射する。
【００４１】
図３及び図４に示すように、受光素子３１は、有効受光領域３１２と受光面３１３を備えている。受光素子３１は、有効受光領域３１２に入射する散乱光Ｐ１、Ｐ２を有効に受光することができる。一方、受光素子３１は、有効受光領域３１２以外の部分に入射する散乱光Ｐ１、Ｐ２を有効に受光することができない。有効受光領域３１２は、入射する光を電気信号に変換することができる領域である。有効受光領域３１２は、受光素子３１の中央部に形成されている。受光素子３１の有効受光領域３１２は、例えば受光素子３１の製品仕様書から知ることができる。受光面３１３は、有効受光領域３１２の表面である。受光素子３１は、受光面３１３に入射する散乱光Ｐ１、Ｐ２を受光することができる。受光面３１３の幅（有効受光領域３１２の幅）をＹとする。受光面３１３の幅（有効受光領域３１２の幅）Ｙは、図１に示す流路６０の長手方向における幅である。
【００４２】
図５に示すように、処理装置９は、発光素子２１と受光素子３１に電気的に接続されている。処理装置９は、発光素子２１が発光するレーザー光Ｌと、受光素子３１が受光する第１の散乱光Ｐ１と第２の散乱光Ｐ２に基づいて、計測点１０を通過する粒子Ｒの速度ｖを演算する。処理装置９は、ドップラーシフトに基づく演算方法によって粒子Ｒの速度ｖを演算する。計測点１０を通過する粒子Ｒの速度ｖは、例えば下記の数１の式によって演算することができる。下記の式において、ｆｄは、受光装置３が受光する光（第１の散乱光Ｐ１と第２の散乱光Ｐ２が干渉した光）のドップラー周波数である。θは、計測点１０に向かって進行する第１のレーザー光Ｌ１と、計測点１０と受光装置３を結んだ線とのなす角度（あるいは、計測点１０に向かって進行する第２のレーザー光Ｌ２と、計測点１０と受光装置３を結んだ線とのなす角度）である。λは、レーザー光（第１のレーザー光Ｌ１と第２のレーザー光Ｌ２）の波長である。粒子Ｒの速度ｖを演算する方法については公知であるので詳細な説明を省略する。
【数１】
2018173290.tif 000003
【００４３】
（第１実施例）
次に、図６から図８を参照して計測装置における関係式について説明する。まず、第１実施例について説明する。第１実施例に係る計測装置１では、下記の関係式（１）および（２）を満たしている。
【数２】
2018173290.tif 000004
【００４４】
図６に示すように、上記の関係式において、Ｄは、光通過孔３５の入射口３６と受光素子３１の受光面３１３の間の距離である。Ｈは、受光素子３１の受光面３１３と計測点１０の間の距離である。Ｘは、計測点１０に向かって進行する第１のレーザー光Ｌ１と第２のレーザー光Ｌ２が重なり合ってできたレーザー光の強度が所定の強度以上である範囲の幅である。より詳細に説明すると、第１のレーザー光Ｌ１と第２のレーザー光Ｌ２が計測点１０で干渉して重なり合うと、図７に示すように、重なり合ってできたレーザー光の強度の分布になる。ここで、重なり合ってできたレーザー光の強度の最大値をＭａｘとする。また、その最大値Ｍａｘに対して所定の割合の強度をＭｉｎとする。最大値Ｍａｘに対する所定の割合は、例えば１３．５−１０％〜１３．５＋１０％である。すなわち、最大値Ｍａｘの１３．５±１０％の範囲のどれかの値をＭｉｎとする。そして、第１のレーザー光Ｌ１と第２のレーザー光Ｌ２が重なり合う部分において、重なり合ってできたレーザー光の強度がＭｉｎ以上である範囲をＳ（図７の斜線部分）とすると、その範囲Ｓの幅がＸである。また、図６に示すように、上記の関係式において、Ｙは、受光素子３１の受光面３１３の幅（有効受光領域３１２の幅）である。Ａは、光通過孔３５の入射口３６の幅である。
【００４５】
上記の関係式において、Ｄ、Ｈは、図１に示す流路６０の短手方向における値である。すなわち、計測点１０から受光素子３１に向かう方向における値である。また、Ｘ、Ｙ、Ａは、流路６０の長手方向における値である。すなわち、流体Ｆの流れ方向における値である。
【００４６】
次に、上記の関係式（１）を導出する方法について説明する。図８は、図６における位置関係を模式的に示す図である。図８では、図６における幅Ｘに対応する線分をＸＬとする。また、図６における幅Ｙに対応する線分をＹＬとする。線分ＸＬと線分ＹＬの間の距離がＨである。
【００４７】
図８では、まず、線分ＸＬの左端から線分ＹＬの右端に補助線ｋ１を引く。また、線分ＸＬの右端から線分ＹＬの左端に補助線ｋ２を引く。補助線ｋ１と補助線ｋ２の交点をｃとする。
【００４８】
次に、交点ｃより線分ＸＬ側において、補助線ｋ１と補助線ｋ２の間に、線分ＹＬの幅Ｙと等しい幅を有する補助線ｋ３を引く。補助線ｋ３の左端は補助線ｋ１に接しており、補助線ｋ３の右端は補助線ｋ２に接している。また、補助線ｋ３は線分ＹＬと平行である。補助線ｋ３と線分ＹＬの間の距離をｈとする。なお、ｈは、流路６０の短手方向における値である。すなわち、計測点１０から受光素子３１に向かう方向における値である。
【００４９】
次に、交点ｃを頂点として、補助線ｋ１と補助線ｋ２と線分ＸＬによって形成される三角形をＴ１とする。また、交点ｃを頂点として、補助線ｋ１と補助線ｋ２と線分ＹＬによって形成される三角形をＴ２とする。三角形Ｔ１と三角形Ｔ２は相似の三角形である。三角形Ｔ１と三角形Ｔ２の相似比は、Ｘ：Ｙ＝（Ｈ−ｈ／２）：ｈ／２である。この相似比に基づいて、ｈについて解くとｈ＝２ＹＨ／（Ｘ＋Ｙ）となる。
【００５０】
そして、光通過孔３５の入射口３６と受光素子３１の受光面３１３の間の距離Ｄは、ｈ以上かつＨ未満である。つまり、ｈ≦Ｄ＜Ｈである。光通過孔３５の入射口３６は、補助線ｋ３と線分ＸＬの間に位置している。
【００５１】
以上より、２ＹＨ／（Ｘ＋Ｙ）≦Ｄ＜Ｈとなる。このようにして上記の関係式（１）が導出される。また、光通過孔３５の入射口３６の幅Ａは、Ｙ以上かつＸ未満の範囲とする。つまり、Ｙ≦Ａ＜Ｘである。これが上記の関係式（２）である。
【００５２】
以上の説明から明らかなように、実施例の計測装置１は、流路６０を流れる流体Ｆ中の粒子Ｒの速度ｖを計測する装置であって、レーザー光照射装置２と受光装置３を備えている。レーザー光照射装置２は、流路６０内の計測点１０に向かって進行する第１のレーザー光Ｌ１と、第１のレーザー光Ｌ１と異なる方向から流路６０内の計測点１０に向かって進行する第２のレーザー光Ｌ２を照射する。受光装置３は、レーザー光照射装置２から照射された第１のレーザー光Ｌ１と第２のレーザー光Ｌ２が計測点１０を通過する粒子Ｒに当たったときにそれぞれ生じる散乱光Ｐ１、Ｐ２を受光する。受光装置３は、受光素子３１と、受光素子３１の受光面３１３と計測点１０の間に形成されている中空の光通過孔３５を備えている。光通過孔３５は、計測点１０から受光素子３１に向かう方向に延びており、計測点１０を通過する粒子Ｒによって生じた散乱光Ｐ１、Ｐ２が光通過孔３５の入射口３６から光通過孔３５に入射し、その散乱光Ｐ１、Ｐ２が光通過孔３５を通過して受光素子３１の受光面３１３に入射するように構成されている。第１実施例の計測装置１では、上記の関係式（１）（２ＹＨ／（Ｘ＋Ｙ）≦Ｄ＜Ｈ）および関係式（２）（Ｙ≦Ａ＜Ｘ）を満たしている。
【００５３】
上記の構成によれば、計測点１０を通過する粒子Ｒによって生じた散乱光Ｐ１、Ｐ２を受光装置３が受光する。受光装置３が受光した散乱光Ｐ１、Ｐ２の周波数に基づいて、計測点１０を通過する粒子Ｒの速度ｖを演算することができる。計測点１０を通過する粒子Ｒの速度ｖを計測するためには、レーザー光照射装置２から第１のレーザー光Ｌ１と第２のレーザー光Ｌ２を照射する際に、計測点１０のみに第１のレーザー光Ｌ１と第２のレーザー光Ｌ２を照射することが好ましい。しかしながら現実的には、計測点１０のみに第１のレーザー光Ｌ１と第２のレーザー光Ｌ２を照射することは困難であり、光の拡散等によって、計測点１０の周辺にも第１のレーザー光Ｌ１と第２のレーザー光Ｌ２が照射されてしまう。そうすると、レーザー光照射装置２から照射された第１のレーザー光Ｌ１と第２のレーザー光Ｌ２が流体Ｆ中の粒子Ｒに当たって散乱するときに、計測点１０を通過する粒子Ｒに当たって散乱するだけでなく、計測点１０の周辺を通過する粒子Ｒにも当たって散乱してしまう。その結果、計測点１０を通過する粒子Ｒによって散乱光が生じるだけでなく、計測点１０の周辺を通過する粒子Ｒによっても散乱光が生じてしまう。しかしながら上記の構成では、光通過孔３５を備えているので、計測点１０を通過する粒子Ｒによって生じた散乱光を受光するとともに、計測点１０の周辺を通過する粒子Ｒによって生じた散乱光を受光することを抑制できる。すなわち、上記の構成によれば、計測点１０と受光素子３１の間で光通過孔３５が計測点１０から受光素子３１に向かう方向に延びているので、計測点１０を通過する粒子Ｒによって生じた散乱光は光通過孔３５を通過して受光素子３１に入射するが、計測点１０の周辺を通過する粒子Ｒによって生じた散乱光は、光通過孔３５の存在によって受光素子３１に入射しにくくなる。これによって、余分な散乱光を受光することを抑制できる。
【００５４】
また、光通過孔３５を備えている構成では、光通過孔３５の入射口３６の位置が計測点１０から遠い位置にあると、光通過孔３５への入射範囲が広がるので、計測点１０の周辺で生じる散乱光が光通過孔３５に入射し易くなる。しかしながら、上記の構成によれば、関係式（１）を満たすことによって、光通過孔３５の入射口３６の位置を計測点１０に近付けることができる。すなわち、光通過孔３５の入射口３６の位置が、図８に示す補助線ｋ３の位置より線分ＸＬ側に位置するので、計測点１０と近い位置になる。これによって、光通過孔３５への入射範囲が広がることを抑制できるので、計測点１０の周辺で生じる散乱光が光通過孔３５に入射しにくくなる。また、上記の構成によれば、関係式（２）を満たすことによって、光通過孔３５の入射口３６の幅Ａが狭くなり過ぎることを抑制できる。これによって、計測点１０から受光素子３１に向かう散乱光Ｐ１、Ｐ２を十分に受光することができる。そのため、余分な散乱光を受光することを抑制しつつ、必要な散乱光を十分に受光することができる。
【００５５】
流路６０を流れる流体Ｆ中には無数の粒子Ｒが存在しており、無数の粒子Ｒの速度は様々である。そのため、様々な速度の粒子Ｒによって生じた散乱光を受光装置３が受光すると、処理装置９が粒子Ｒの速度ｖを正確に演算することができなくなる。しかしながら、上記の構成によれば、余分な散乱光を受光することを抑制しつつ、必要な散乱光を十分に受光することができるので、粒子Ｒの速度ｖを正確に演算することができる。
【００５６】
以上、一実施例について説明したが、具体的な態様は上記実施例に限定されるものではない。以下の説明において、上述の説明における構成と同様の構成については同一の符号を付して説明を省略する。
【００５７】
（第２実施例）
次に、第２実施例について説明する。第２実施例に係る計測装置１では、下記の関係式（３）を満たしている。
【数３】
2018173290.tif 000005
【００５８】
次に、上記の関係式（３）を導出する方法について説明する。関係式（３）を導出する際には、まず、光通過孔３５の入射口３６の幅Ａを決定する。そして、図８に示すように、入射口３６の幅Ａに対応する線分をＡＬとする。入射口３６の幅Ａは、Ｙ以上かつＸ未満の範囲とする。つまり、Ｙ≦Ａ＜Ｘである。
【００５９】
次に、交点ｃより線分ＸＬ側において、補助線ｋ１と補助線ｋ２の間に、線分ＡＬを引く。線分ＡＬの左端は補助線ｋ１に接しており、線分ＡＬの右端は補助線ｋ２に接している。また、線分ＡＬは線分ＸＬおよび線分ＹＬと平行である。線分ＡＬと線分ＹＬの間の距離をＤとする。
【００６０】
次に、交点ｃを頂点として、補助線ｋ１と補助線ｋ２と線分ＸＬによって形成される三角形をＴ１とする。また、交点ｃを頂点として、補助線ｋ１と補助線ｋ２と線分ＹＬによって形成される三角形をＴ２とする。また、交点ｃを頂点として、補助線ｋ１と補助線ｋ２と線分ＡＬによって形成される三角形をＴ３とする。三角形Ｔ１と三角形Ｔ２と三角形Ｔ３は相似の三角形である。三角形Ｔ１と三角形Ｔ２と三角形Ｔ３の相似比は、Ｘ：Ｙ：Ａ＝（Ｈ−ｈ／２）：ｈ／２：（Ｄ−ｈ／２）である。この相似比に基づいて、Ｄについて解くとＤ＝Ｈ（Ａ＋Ｙ）／（Ｘ＋Ｙ）となる。このようにして上記の関係式（３）が導出される。
【００６１】
上記の関係式（３）は、光通過孔３５の入射口３６の幅Ａと、補助線ｋ１と補助線ｋ２の間の幅とが等しい場合における、光通過孔３５の入射口３６と受光素子３１の受光面３１３の間の距離Ｄを示している。
【００６２】
以上の説明から明らかなように、第２実施例の計測装置１では、関係式（３）（Ｄ＝Ｈ（Ａ＋Ｙ）／（Ｘ＋Ｙ））を満たしている。このような構成によれば、計測点１０の周辺で生じた散乱光を受光することを抑制しつつ、計測点１０を通過する粒子によって生じた散乱光Ｐ１，Ｐ２を受光素子３１の受光面３１３の全体を利用して受光することができる。すなわち、上記の関係式（３）を満たしていると、図８に示すように、線分ＸＬの左端と線分ＹＬの右端を結んでいる補助線ｋ１が、線分ＡＬの左端を通過する。また、線分ＸＬの右端と線分ＹＬの左端を結んでいる補助線ｋ２が、線分ＡＬの右端を通過する。これは、計測点１０の左端で生じた散乱光Ｐ１，Ｐ２が、光通過孔３５の入射口３６の左端を通過して、受光素子３１の受光面３１３の右端に入射することを示している。また、計測点１０の右端で生じた散乱光Ｐ１，Ｐ２が、光通過孔３５の入射口３６の右端を通過して、受光素子３１の受光面３１３の左端に入射することを示している。したがって、計測点１０で生じた散乱光Ｐ１，Ｐ２を受光素子３１の受光面３１３の全体で受光することができる。一方、計測点１０の周辺で生じた散乱光については、光通過孔３５を通過したとしても、受光素子３１の受光面３１３に入射することを抑制できる。
【００６３】
（第３実施例）
次に、第３実施例について説明する。第３実施例に係る計測装置１では、下記の関係式（４）を満たしている。
【数４】
2018173290.tif 000006
【００６４】
このような構成によれば、光通過孔３５の入射口３６の幅Ａと受光素子３１の受光面３１３の幅Ｙを揃えることによって、計測点１０から光通過孔３５を通過して受光素子３１に向かう散乱光Ｐ１，Ｐ２を効率良く受光することができる。
【００６５】
なお、上記の第２実施例に係る関係式（３）を満たしている場合において、第３実施例に係る関係式（４）を満たしている場合は、Ｄ＝ｈ＝２ＹＨ／（Ｘ＋Ｙ）となる。
【００６６】
（その他の実施例）
次に、その他の実施例について説明する。上記で説明した光通過孔３５の形状は特に限定されるものではない。例えば、図９に示すように、光通過孔３５の形状が平面視において円形状であってもよい。または、図１０に示すように、光通過孔３５の形状が平面視において多角形状であってもよい。また、図１１に示すように、複数の光通過孔３５が平面視においてスリット状に形成されていてもよい。
【００６７】
また、光通過孔３５の内周面の構成については特に限定されるものではない。例えば、他の実施例では、図１２に示すように、光通過孔３５の内周面３５１が断面視においてテーパー状に形成されていてもよい。光通過孔３５の内周面３５１は、計測点１０から受光素子３１に向かう方向に対して傾斜している。また、光通過孔３５の内周面３５１は、受光素子３１の受光面３１３に対して傾斜している。光通過孔３５の出射口３７の幅ｗ３７は、光通過孔３５の入射口３６の幅ｗ３６より小さい。また、光通過孔３５の出射口３７の幅ｗ３７は、受光素子３１の受光面３１３の幅Ｙと等しい。ｗ３７＝Ｙである。
【００６８】
計測点１０の周辺で余分な散乱光が生じると、図１２に示すように、その散乱光Ｐ３が光通過孔３５に入射して内周面３５１で反射することがある。このとき、上記の構成によれば、光通過孔３５の内周面３５１が傾斜しているので、内周面３５１で反射した余分な散乱光Ｐ３が受光素子３１に向かって進行することを抑制できる。よって、余分な散乱光Ｐ３を受光することを抑制できる。
【００６９】
また、更に他の実施例では、光通過孔３５の内周面に図示しない複数の凹凸が形成されていてもよい。光通過孔３５の内周面の表面粗さは、発光素子２１が発光するレーザー光Ｌの波長以上である。また、光通過孔３５の内周面の表面粗さは、第１のレーザー光Ｌ１の波長以上、かつ、第２のレーザー光Ｌ２の波長以上である。また、光通過孔３５の内周面の表面粗さは、第１の散乱光Ｐ１の波長以上、かつ、第２の散乱光Ｐ２の波長以上である。光通過孔３５の内周面の表面粗さは、例えば算術平均粗さ（Ｒａ）で表すことができる。
【００７０】
このような構成によれば、光通過孔３５の内周面で反射する余分な散乱光を凹凸面で乱反射させることができる。これによって、余分な散乱光が受光素子３１に向かって進行することを抑制できる。よって、余分な散乱光を受光することを抑制できる。
【００７１】
また、更に他の実施例では、光通過孔３５の内周面の色が黒色であってもよい。例えば、黒色塗装等によって光通過孔３５の内周面を黒色にすることができる。
【００７２】
このような構成によれば、光通過孔３５の内周面の反射率が低下する。そのため、計測点１０の周辺で生じた余分な散乱光が光通過孔３５の内周面で反射することを抑制できる。これによって、余分な散乱光が受光素子３１に向かって進行することを抑制できる。
【００７３】
また、更に他の実施例では、光通過孔３５の内周面が低反射材で構成されていてもよい。例えば、箱体３８の前壁３８ａが低反射材で構成されていてもよい。あるいは、箱体３８の前壁３８ａの表面に低反射材の膜が成膜されていてもよい。低反射材は、散乱光Ｐ１、Ｐ２の反射率が低い材料である。低反射材には、例えば高透過率材と高吸収率材がある。高透過率材には、例えばガラス（ＳｉＯ２）、アルミナ（Ａｌ２Ｏ３）、プラスチック（ＰＥ、ＰＣ）等がある。高吸収率材には、例えば酸化クロム（Ｃｒ２Ｏ３）等がある。
【００７４】
このような構成によれば、計測点１０の周辺で生じた余分な散乱光が光通過孔３５の内周面で反射することを抑制できる。これによって、余分な散乱光が受光素子３１に向かって進行することを抑制できる。
【００７５】
また、計測装置１におけるレーザー光照射装置２の構成は、上記の実施例に限定されるものではない。例えば、レーザー光照射装置２の発光素子２１、第１のミラー２４１、第２のミラー２４２等の配置構成は上記の実施例に限定されるものではない。図１３は、他の実施例に係る計測装置の概略構成を示す図である。図１３に示すように、レーザー光照射装置２は、発光素子２１と、コリメーターレンズ２２と、ビームスプリッタ２６と、第１のミラー２４１と、第２のミラー２４２を備えている。発光素子２１は、管６１の長手方向に対して斜めにレーザー光Ｌを発光する。コリメーターレンズ２２は、発光素子２１が発光したレーザー光Ｌを平行光にして出射する。コリメーターレンズ２２から出射したレーザー光Ｌ（平行光）は、ビームスプリッタ２６に入射する。
【００７６】
ビームスプリッタ２６では、入射したレーザー光Ｌの一部が反射し、他の一部が透過する。ビームスプリッタ２６は、レーザー光Ｌを透過及び反射する。このビームスプリッタ２６をハーフミラーと呼ぶ場合もある。ビームスプリッタ２６で反射したレーザー光Ｌが第１のレーザー光Ｌ１となり、ビームスプリッタ２６を透過したレーザー光Ｌが第２のレーザー光Ｌ２となる。レーザー光Ｌがビームスプリッタ２６で透過及び反射して、第１のレーザー光Ｌ１と第２のレーザー光Ｌ２に分かれる。
【００７７】
ビームスプリッタ２６は、第１のミラー２４１と第２のミラー２４２の間に配置されている。ビームスプリッタ２６で反射したレーザー光Ｌ（第１のレーザー光Ｌ１）は、第１のミラー２４１に向かって進行する。また、ビームスプリッタ２６を透過したレーザー光Ｌ（第２のレーザー光Ｌ２）は、第２のミラー２４２に向かって進行する。第１のレーザー光Ｌ１は、第１のミラー２４１の第１の反射面４３で反射し、その後、管６１内の流路６０に入射する。また、第２のレーザー光Ｌ２は、第２のミラー２４２の第２の反射面４４で反射し、その後、管６１内の流路６０に入射する。このような構成によっても、第１のレーザー光Ｌ１と第２のレーザー光Ｌ２を流路６０内の計測点１０に向かって照射することができる。
【００７８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７９】
１      ：計測装置
２      ：レーザー光照射装置
３      ：受光装置
９      ：処理装置
１０    ：計測点
２１    ：発光素子
２２    ：コリメーターレンズ
２３    ：回折格子
２５    ：移動装置
２６    ：ビームスプリッタ
３１    ：受光素子
３５    ：光通過孔
３６    ：入射口
３７    ：出射口
３８    ：箱体
４３    ：第１の反射面
４４    ：第２の反射面
６０    ：流路
６１    ：管
６２    ：固定具
２４１  ：第１のミラー
２４２  ：第２のミラー
３１２  ：有効受光領域
３１３  ：受光面
３５１  ：内周面
Ｆ      ：流体
Ｌ１    ：第１のレーザー光
Ｌ２    ：第２のレーザー光
Ｐ１    ：第１の散乱光
Ｐ２    ：第２の散乱光
Ｒ      ：粒子
【図１】
2018173290.tif 000007
【図２】
2018173290.tif 000008
【図３】
2018173290.tif 000009
【図４】
2018173290.tif 000010
【図５】
2018173290.tif 000011
【図６】
2018173290.tif 000012
【図７】
2018173290.tif 000013
【図８】
2018173290.tif 000014
【図９】
2018173290.tif 000015
【図１０】
2018173290.tif 000016
【図１１】
2018173290.tif 000017
【図１２】
2018173290.tif 000018
【図１３】
2018173290.tif 000019
【国際調査報告】
2018173290.tif 000020
2018173290.tif 000021
2018173290.tif 000022
2018173290.tif 000023